(57)【要約】【課題】  ディスプレイが開閉または回動状態においてタッチされた場合でも、ディスプレイが軸を起点として駆動しないようにすることのできる電子機器を提供することである。【解決手段】  本発明の電子機器は、タッチセンサを備える表示部と、前記表示部を、固定部に対し、回動軸を中心に回動可能に接続する接続部と、前記タッチセンサに対する入力の検出感度を、前記回動軸からの距離に応じて変更する感度変更部と、を有することを特徴とする。【選択図】  図３
2016148750.tif 000002
【特許請求の範囲】
【請求項１】
タッチセンサを備える表示部と、
前記表示部を、固定部に対し、回動軸を中心に回動可能に接続する接続部と、
前記タッチセンサに対する入力の検出感度を、前記回動軸からの距離に応じて変更する感度変更部と、
を有することを特徴とする電子機器。
【請求項２】
前記感度変更部は、前記回動軸から離れるほど、前記タッチセンサに対する入力の検出感度を高くする、ことを特徴とする請求項１に記載の電子機器。
【請求項３】
前記感度変更部は、前記表示部の開閉状態に応じて、前記検出感度を変更するか否かを切り替える、ことを特徴とする請求項１又は２に記載の電子機器。
【請求項４】
前記接続部は２軸を中心に回動可能である、ことを特徴とする請求項１乃至３のいずれか１項に記載の電子機器。
【請求項５】
前記表示部は、表面の特定領域が変形する変位デバイスを有する、ことを特徴とする請求項１乃至４のいずれか１項に記載の電子機器。
【請求項６】
請求項１乃至５のいずれか１項に記載の電子機器を備える撮像装置。
【発明の詳細な説明】
【技術分野】
【０００１】
本発明は、本体部とタッチパネル機能を有する表示部とを有する電子機器に関し、特に表示部のタッチパネル入力の場所に応じて、タッチパネルの入力感度を変化させることを特徴とする電子機器及びそれを有する撮像装置に関するものである。
【背景技術】
【０００２】
従来、ユーザからの入力を受け付ける入力部として、ユーザによる入力操作を容易にするため、機械的なボタン以外に、タッチパネルディスプレイが知られている。このようなタッチパネルディスプレイは、表示部に表示されたボタンやアイコンなどに対応する位置に指などが触れることにより、電子機器に対して操作指示を行うものである。
【０００３】
さらに近年では、このようなタッチパネルディスプレイを、外部モニタとして本体部の側面や背面にヒンジ部によって開閉または回動可能に取り付けられた、デジタルカメラやビデオカメラのバリアングルディスプレイや、タッチパネル式のノートＰＣなどの電子機器が知られている。そして、それらのディスプレイに関する操作性改善の提案が、多数開示されている。
【０００４】
例えば特許文献１では、ディスプレイの開閉状態に応じて、ディスプレイ上のボタンやアイコンの位置を変化させる提案が開示されている。
【先行技術文献】
【特許文献】
【０００５】
【特許文献１】特開２０１４−２２８５０号公報
【発明の概要】
【発明が解決しようとする課題】
【０００６】
しかし、このようなタッチパネルディスプレイは、開閉または回動を行う軸を起点として駆動する。そのため、ディスプレイが開いている状態でディスプレイ上をタッチしようとした場合、その軸からの距離が大きい箇所をタッチしようとするほど、小さな力でディスプレイが軸を中心として回動してしまい、操作性に難があった。
【０００７】
そこで、本発明の目的は、ディスプレイが開閉または回動状態においてタッチされた場合でも、ディスプレイが軸を起点として駆動しないようにすることのできる電子機器及びそれを有する撮像装置を提供することである。
【課題を解決するための手段】
【０００８】
上記目的を達成するために、本発明の電子機器は、タッチセンサを備える表示部と、前記表示部を、固定部に対し、回動軸を中心に回動可能に接続する接続部と、前記タッチセンサに対する入力の検出感度を、前記回動軸からの距離に応じて変更する感度変更部と、を有することを特徴とする。
【発明の効果】
【０００９】
本発明によれば、ヒンジ部によって開閉または回動可能なタッチパネル機能を有するディスプレイの画面を押圧した場合でも、ディスプレイが軸を中心として回動しないようにすることのできる電子機器及びそれを有する撮像装置を提供することである。
【図面の簡単な説明】
【００１０】
【図１】本体部と表示部を有し、開閉部により連結された撮像装置の背面図
【図２】図１の撮像装置において、表示部が、ある角度で開いている状態を上部から見たときの上面図
【図３】本体部と表示部を有し、開閉部と回動部により連結された撮像装置の背面図
【図４】図３の撮像装置を左側から見たときの側面図
【図５】図３の撮像装置において、表示部に表面の特定領域が変形する変位デバイスを有する撮像装置の背面図
【図６】図５の撮像装置を左側から見たときの側面図
【発明を実施するための形態】
【００１１】
以下に、本発明の好ましい実施の形態を、添付の図面に基づいて詳細に説明する。
【実施例１】
【００１２】
図１は、本発明の第１の実施例１における撮像装置１００を撮像素子側から見たときの背面図を示している。図２は、図１における撮像装置１００において、表示部がある角度で開いている状態を上部から見たときの上面図を示している。図３は、本実施例２における撮像装置１００を撮像素子側から見たときの背面図を示している。図４は、図３における撮像装置１００を左側から見たときの側面図を示している。図５は、本実施例３における撮像装置１００を撮像素子側から見たときの背面図を示している。図６は、図５における撮像装置１００を左側から見たときの側面図を示している。
【００１３】
図１、２を参照して、本実施例１について説明する。撮像装置１００は、本体部（固定部）１、表示部２、及びレンズユニット７を備える。今回説明する撮像装置１００は、電子機器の一例としてレンズ交換式のデジタル一眼レフカメラを例示して説明する。本体部１には、不図示であるがコマンドダイヤルやスイッチなどのユーザ操作部を有する。表示部２は、表示面２０を有し、表示面２０に様々なアイコン５を表示する表示機能を有する。また、表示部２は、表示面２０を介してユーザのタッチ操作を実現するタッチパネル機能を有する。このタッチパネルは、例えば液晶表示装置（ＬＣＤ：Ｌｉｑｕｉｄ  Ｃｒｙｓｔａｌ  Ｄｉｓｐｌａｙ）であり、ユーザのタッチ位置を検出するタッチ検出部と、表示面２０上のタッチ感度（検出感度）を調整（変更）する感度調整部（感度変更部）を備えている。表示部２は、開閉部３を介して本体部１に連結される。開閉部（第１の接続部）３は、本体部１に対して表示部２を、開閉軸（第１の回動軸）３０を軸として角度を可変可能に連結（接続）する。開閉部３には、表示部２の開閉状態を検出する状態検出部が設けられる。
【００１４】
図２に示すように、表示部２がある角度で開いている状態（開状態）でユーザが表示面２０をタッチしたとき、開閉軸３０を中心とする開閉部３のトルクをＴは次式で表される。
【００１５】
【数１】
2016148750.tif 000003
ここで、Ｆは表示面２０に垂直な方向のユーザの力、ｘは開閉軸３０を基準としてユーザがタッチした位置（開閉軸からの距離）である。
【００１６】
開閉部３が開閉軸３０を中心とする回転を開始するために必要なトルクは一定なので、開閉軸３０からの離間量が大きい箇所をタッチするほど（図１の矢印３２へ向かうほど）、小さい力で表示部２が開閉軸３０を軸として回動してしまい、操作性に難がある。そこで、本実施例１では、表示部２が状態検出部により開いている状態であることを検出したとき、タッチ検出部で検出された表示面２０上のタッチ位置に従って、感度調整部により表示面２０のタッチ感度を変化させる。その際、表示面２０において開閉軸３０からの離間量が大きいほど（矢印３２へ向かうほど）タッチ感度を高くする。これにより、表示面２０上の開閉軸３０から離れた箇所をタッチした場合、より小さな力で表示面２０上のアイコン５が反応し、開閉軸３０を中心として表示部２を回動させにくくなることで、撮像装置１００の操作性を向上させることができる。状態検出部は、表示部２が本体部１の収納位置に閉じている状態であるか否かを検出し、表示部２が開状態である場合には、感度調整部によって上述したタッチ感度を画面の位置によって変化させるように制御する。表示部２が閉状態の場合は、その状態で表示面２０を押圧しても表示部２が回動することはないので、不意の回動を抑制する目的での上記の制御をする必要はない。また、表示部２が開いている状態であっても、所定の開度の状態で固定できる機構を備える開閉部３である場合には、その固定された状態である場合にも本発明のタッチ感度の変化の制御をしなくてもよい。
【実施例２】
【００１７】
図３、４を参照して、本発明の第２の実施例について説明する。図３の撮像装置１００は、図１の撮像装置１００に対して、表示部２の駆動が開閉部３による開閉だけでなく、図４の矢印４３に示すような回動も可能にする回動部（第２の接続部）４を有する。ここで、図３に示すように、表示面２０における座標を、回動軸（第２の回動軸）４０をｘ軸、開閉軸（第１の回動軸）３０をｙ軸とする。ユーザが表示面２０をタッチした時のトルクと力の関係を考える。本実施例の表示部２は回動が許容される方向は、開閉軸３０を中心とする回動と、回動軸４０を中心とする回動に限定されている。従って、ユーザが表示面２０をタッチした時に、開閉軸３０、回動軸４０を中心とする回動が発生するか否かについては、独立に評価することができる。ユーザがタッチした表示面２０上の回動軸４０からの距離をＸ、開閉軸３０からの距離をＹとし、ユーザが表示面２０をタッチした力の表示面２０に垂直な方向の成分をＦとする。ユーザの表示面２０を押圧（タッチ）による開閉軸（ｙ軸）３０を中心とするトルクＴｙ、回動軸（ｘ軸）４０を中心とするトルクＴｘは、それぞれ以下のように表される。
【００１８】
Ｔｙ＝Ｆ×Ｘ
Ｔｘ＝Ｆ×Ｙ
トルクＴｙが、開閉部３が開閉軸３０を中心とする回転を開始するために必要なトルクＴｙ＿ｍｉｎよりも大きい場合は、開閉部３は開閉軸３０を中心に回動する。また、トルクＴｘが、開閉部３が回動軸４０を中心とする回転を開始するために必要なトルクＴｘ＿ｍｉｎよりも大きい場合は、開閉部３は回動軸４０を中心に回動する。
【００１９】
ユーザが表示面２０をタッチする際、押圧する位置の開閉軸３０、また回動軸４０からの離間量が大きいほど（矢印３２、また矢印４２へ向かうほど）、小さい力で表示部２が開閉軸３０または回動軸４０を軸として回動する。従って、本実施例２では、状態検出部により、表示部２の開閉状態を検出し、表示部が閉じた状態ではない場合、タッチ検出部で検出された表示面２０上のタッチ位置に従って、感度調整部８により表示面２０のタッチ感度を変化させる。その際、表示面２０において開閉軸３０または回動軸４０からの離間量が大きいほど（矢印３２または矢印４２へ向かうほど）タッチ感度を高くする。すなわち、開閉軸回りまたは回動軸回りでの回動が始まる力が表示面２０に加えられる前に、タッチセンサが入力を認識するようにする。本実施例においては、開閉部３が開閉軸３０を中心とする回動と、回動軸４０を中心とする回動が可能である。開閉部３が回動を開始するために必要なトルクは、開閉軸３０を中心とする回動に対し、Ｔｙ＿ｍｉｎ、回動軸４０を中心とする回動に対し、Ｔｘ＿ｍｉｎ、である。すなわち、タッチ入力時の力によって表示部が回動しないようなタッチ感度を、それぞれの方向の回動に対して各位置で演算し、その大きい感度の方をその位置に対するタッチ感度として設定すれば、いずれの回動も回避することができる。
【００２０】
これにより、表示面２０上の開閉軸３０または回動軸４０から離れた箇所をタッチした場合、より小さな力で表示面２０上のアイコン５が反応し、表示部２が駆動しにくくなることで、撮像装置１００の操作性が向上する。
【００２１】
実施例１及び２において、１軸回り、２軸回りの回動可能な表示部への適用について例示したが、本発明はこれに限定されることはなく、３軸回りで回動可能な表示部に対しても同様に適用できる。
【実施例３】
【００２２】
図５、６を参照して、本発明の実施例３について説明する。本実施例３は、表示部２の表示面２０に、表面の特定の領域が変形する変位デバイス６を構成したものである。変位デバイス６は、表示面２０を覆うように略平行に配設される。そして不図示のシステム制御部の指令に基づき、内部の空洞部が拡張し、図６に示すように、表示面２０の特定領域が凸形状に変形する。このような変位デバイスを用いることにより、タッチディスプレイにおいて、視認性の向上やクリック感の付与によるユーザの操作性の向上を図ることができる。しかし、この技術は表示面２０上に凸形状を形成し、その凸形状を押下すことでユーザに対して触覚的にクリック感を与えるため、変位デバイスを備えない通常のタッチディスプレイと比較して、強い押下する力が必要となる。そのため、タッチ入力の際に、変位デバイスを備えない通常のタッチディスプレイの場合よりも、表示部がより回動しやすくなる。このことから、本発明の感度調整の技術を適用することにより、開閉軸３０または回動軸４０の離間量が大きい箇所を押そうとした際の、押下する力による表示部２の駆動をより効果的に防ぐことが可能となる。
【００２３】
本実施例では撮像装置を例として説明したが、これに限られるものではなく、本体部と表示部を有した様々な電子機器に適用される。
【符号の説明】
【００２４】
１：本体部
２：表示部
３：開閉部（第１の接続部）
４：回動部（第２の接続部）
８：感度調整部（感度変更部）
９：タッチ検出部（検出部）
２０：表示面
３０：開閉軸（回動軸）
４０：回動軸
【図１】
2016148750.tif 000004
【図２】
2016148750.tif 000005
【図３】
2016148750.tif 000006
【図４】
2016148750.tif 000007
【図５】
2016148750.tif 000008
【図６】
2016148750.tif 000009